(57)【要約】【課題】嵌合の前後で半田付け部分にかかる応力を軽減する。【解決手段】本発明は、プリント基板Ｐの上面に固定された状態で相手側コネクタと嵌合可能な基板用コネクタ１０であって、前後方向に貫通した状態で端子３０を保持する端子保持部４０を有し、この端子保持部４０の外周縁部から前方に延びるフード部５０が形成されているハウジング２０と、フード部５０の一部を構成する側壁５２に形成された装着溝６０と、装着溝６０によって側壁５２の板厚内に保持されるとともに、プリント基板Ｐの上面に半田付けされる基板固定部７０と、側壁５２を前方に開口して設けられた取付部５４と、相手側コネクタと別体に形成され、基板固定部７０の前方でかつ側壁５２の板厚内に装着され、一端が取付部５４の下面５４Ａに係止するとともに他端がプリント基板Ｐの下面に係止する規制部材８０とを備える構成としたところに特徴を有する。【選択図】図３
2010113848.tif 000002
【特許請求の範囲】
【請求項１】
基板の上面に固定された状態で相手側コネクタと嵌合可能な基板用コネクタであって、
前後方向に貫通した状態で端子を保持する端子保持部を有し、この端子保持部の外周縁部から前方に延びるフード部が形成されているハウジングと、
前記フード部の一部を構成する側壁に形成された装着溝と、
前記装着溝によって前記側壁の板厚内に保持されるとともに、前記基板の上面に半田付けされる第１固定部品と、
前記側壁を前方に開口して設けられた取付部と、
前記相手側コネクタと別体に形成され、前記第１固定部品の前方でかつ前記側壁の板厚内に装着され、一端が前記取付部の下面に係止するとともに他端が前記基板の下面に係止する第２固定部品とを備える基板用コネクタ。
【請求項２】
前記第１固定部品の後端は、前記端子保持部と前後方向に重複して配置されている請求項１に記載の基板用コネクタ。
【請求項３】
前記第２固定部品は、対向状態で配置された一対の対向部と、前記一対の対向部の端部同士を連結した連結部とを備えて構成されている請求項１または請求項２に記載の基板用コネクタ。
【請求項４】
前記フード部は、前記基板の上面に接触する底壁と、前記底壁の両側縁から上方に立ち上がる一対の前記側壁と、前記一対の側壁の上縁同士を連結する天井壁とから構成されている請求項１ないし請求項３のいずれか一項に記載の基板用コネクタ。
【請求項５】
前記第１固定部品および前記第２固定部品は、前記一対の側壁にそれぞれ配置されている請求項４に記載の基板用コネクタ。
【発明の詳細な説明】
【技術分野】
【０００１】
本発明は、半田付けにより基板に固定される基板用コネクタに関する。
【背景技術】
【０００２】
従来より、固定部品を用いて基板表面に固定される基板用コネクタとして、下記特許文献１ないし３に記載の基板用コネクタが知られている。
【０００３】
特許文献１に記載の基板用コネクタは、ハウジングと一体成形されたフック部を有している。このフック部は、ハウジングの下面から下方に突出した後、後方に延出されている。フック部とハウジングの下面との間で基板の端縁部を挟み付けることにより基板用コネクタが基板表面に固定されている。このような構成では、ハウジング全体が大型化してしまう。
【０００４】
特許文献２に記載の基板用コネクタは、固定部品としての固定金具を有している。この固定金具は、ハウジングに圧入される圧入部と、基板に固定される固定用脚部と、これらを連結する連結部とから構成されている。圧入部をハウジングに圧入した後、固定用脚部を基板の取付孔に差し込むことにより基板用コネクタが基板表面に固定されている。このような構成によると、複雑な構成の固定金具を使用しなければならず、基板に取付孔を形成しなければならない。
【０００５】
特許文献３に記載の基板用コネクタは、接続端子を包囲するように配置された樹脂製のハウジングと金属製のシールドケースとで構成されている。このシールドケースは、基板に固定するための係止片などを備えている。このような構成によると、係止片がシールドケースの一部として形成されており、シールドケースを備えた基板用コネクタにしか適用することができない。
【０００６】
そこで、これらの問題点を解決した基板用コネクタとして、下記特許文献４に記載の基板用コネクタが知られている。この基板用コネクタは、ハウジングの側壁に形成された装着溝と、側壁の板厚内で装着溝に装着された板状の固定部品とを備えている。このような構成によると、固定部品が両側壁の板厚内に配置されているため、ハウジング全体の大型化が回避されている。また、固定部品は簡易な構成であり、固定部品を基板表面に半田付けすることによって基板用コネクタを基板に固定できるため、基板に取付孔を形成しなくてもよい。また、シールドケースを備えていない基板用コネクタにも適用できる。
【０００７】
しかしながら、特許文献４に記載の基板用コネクタは、相手側コネクタと嵌合した状態で、相手側コネクタから後方に引き出された電線が上下に振られるなどした場合に、半田付け部分が直接応力を受けることとなり、半田付け部分に亀裂が入るなどして接合強度が低下するおそれがある。
【０００８】
この対策として、下記特許文献５に記載の基板用コネクタが知られている。この基板用コネクタは、相手側コネクタを内部に嵌合可能なフード部を有し、相手側コネクタに、フック状の規制部が設けられている。両コネクタが嵌合すると、規制部がフード部の前縁と基板とを挟み込んだ状態で基板裏面に係止するため、相手側コネクタから後方に引き出された電線が上下に振られた場合に、規制部が応力を受けることとなり、半田付け部分にかかる応力を軽減することができる。
【特許文献１】特開２００４−２１４０９３公報
【特許文献２】特開平１１−６７３７４号公報
【特許文献３】特開２００４−３１２５９公報
【特許文献４】特開２００５−１６６４９１公報
【特許文献５】特開２００５−３１７３５７公報
【発明の開示】
【発明が解決しようとする課題】
【０００９】
しかしながら、上記特許文献５に記載の規制部は、相手側コネクタと一体成形されているため、電線が上下に振られた場合に、規制部が相手側コネクタから直接外力を受け、相手側コネクタに連動して規制部も上下動しやすくなる。さらに、規制部が上下動すると、基板も上下動しやすくなる。これでは、半田付け部分にかかる応力を軽減できたとしても、基板に実装された他の部品に悪影響を与えてしまう。
【００１０】
また、上記特許文献５に記載の構成では、両コネクタが嵌合することによって規制部が基板裏面に係止するものであり、例えば嵌合前に基板用コネクタが基板表面から離れる方向に引っ張られたとしても、半田付け部分にかかる応力を軽減することができない。
【００１１】
本発明は上記のような事情に基づいて完成されたものであって、基板の上下動を防ぎ、嵌合の前後で半田付け部分にかかる応力を軽減することを目的とする。
【課題を解決するための手段】
【００１２】
本発明は、基板の上面に固定された状態で相手側コネクタと嵌合可能な基板用コネクタであって、前後方向に貫通した状態で端子を保持する端子保持部を有し、この端子保持部の外周縁部から前方に延びるフード部が形成されているハウジングと、フード部の一部を構成する側壁に形成された装着溝と、装着溝によって側壁の板厚内に保持されるとともに、基板の上面に半田付けされる第１固定部品と、側壁を前方に開口して設けられた取付部と、相手側コネクタと別体に形成され、第１固定部品の前方でかつ側壁の板厚内に装着され、一端が取付部の下面に係止するとともに他端が基板の下面に係止する第２固定部品とを備える構成としたところに特徴を有する。
【００１３】
このような構成によると、まず、装着溝に保持された第１固定部品を基板の上面に半田付けすることでハウジングが基板の上面に固定される。次に、第２固定部品の両端を取付部の下面と基板の下面とに係止させることでフード部の前縁が基板の上面に固定される。この状態では、フード部の前縁が基板の上面から離間する方向に力を受けたときに第２固定部品によってフード部の前縁が基板の上面から離間することを規制できる。また、基板用コネクタを相手側コネクタに嵌合させた状態では、相手側コネクタから後方に引き出された電線が上下に振られた場合に、第２固定部品によってフード部の前縁が基板の上面から離間することを効率良く規制できる。さらに、第２固定部品は、相手側コネクタと別体に設けられているから、第２固定部品が相手側コネクタから直接外力を受けて基板が上下動することはない。したがって、基板の上下動を防ぐことができ、第１固定部品の半田付け部分に応力がかかることを軽減できる。
【００１４】
本発明の実施の態様として、以下の構成が好ましい。
第１固定部品の後端は、端子保持部と前後方向に重複して配置されている構成としてもよい。
このような構成によると、端子保持部を第１固定部品で直接固定できるから、端子保持部で保持された端子が力を受けることを回避できる。一方、第１固定部品が端子保持部側に配置されているほど、フード部の前縁が基板の上面から離間しやすくなるところ、フード部の前縁は、第２固定部品によって固定されているから、ハウジング全体を効率良く固定できる。
【００１５】
第２固定部品は、対向状態で配置された一対の対向部と、一対の対向部の端部同士を連結した連結部とを備えて構成されている構成としてもよい。
このような構成によると、第２固定部品を簡易に構成できる。
【００１６】
フード部は、基板の上面に接触する底壁と、底壁の両側縁から上方に立ち上がる一対の側壁と、一対の側壁の上縁同士を連結する天井壁とから構成されている構成としてもよい。
このような構成によると、略方形の角筒状をなすフード部を構成できる。
【００１７】
第１固定部品および第２固定部品は、一対の側壁にそれぞれ配置されている構成としてもよい。
このような構成によると、フード部の両側壁でハウジングを固定できるから、ハウジング全体をバランス良く固定できる。
【発明の効果】
【００１８】
本発明によれば、基板の上下動を防ぐことができ、嵌合の前後で半田付け部分にかかる応力を軽減することができる。
【発明を実施するための最良の形態】
【００１９】
＜実施形態１＞
本発明の実施形態１を図１ないし図８の図面を参照しながら説明する。本実施形態における基板用コネクタ１０は、図１に示すように、プリント基板Ｐの上面に実装される表面実装型の基板用コネクタである。基板用コネクタ１０は、プリント基板Ｐの上面に固定された状態でケース（図示しない）内に収容される。この状態では、基板用コネクタ１０は、ケース外の相手側コネクタ（図示せず）と嵌合可能とされている。なお、以下の説明においては基板用コネクタ１０と相手側コネクタとの嵌合方向を前後方向とし、互いの嵌合面側を前側とする。
【００２０】
基板用コネクタ１０は、合成樹脂製のハウジング２０を有している。ハウジング２０は、端子３０、端子３０を保持する端子保持部４０、略方形の角筒状をなして端子３０を包囲するフード部５０などを備えて構成されている。また、ハウジング２０の幅方向両側には、図２に示すように、一対の装着溝６０が凹設されている。両装着溝６０には、それぞれ基板固定部（本発明の「第１固定部品」の一例）７０が抜け止め状態で保持されている。基板固定部７０がプリント基板Ｐ上に形成された固定ランド（図示せず）に半田付けされることによって、基板用コネクタ１０がプリント基板Ｐの上面に固定されている。
【００２１】
端子保持部４０は、図７および図８に示すように、幅方向に長い横長のブロック状をなしている。端子保持部４０には、上下２段で幅方向に並んで配置された複数の端子３０が保持されている。具体的には、上段側に６個の端子３０が、下段側に９個の端子３０が、それぞれ配置されている。下段側の端子３０のうち、中央に位置する３個の端子３０と対応する上段側中央には、上段側の端子３０が配置されていない。上段側中央に端子３０が配置されていない理由は、両コネクタ１０の嵌合時に相手側コネクタに設けられたロックアーム（図示せず）が進入するためである。なお、ハウジング２０における上段側中央には、ロックアームと係止して両コネクタ１０を正規嵌合状態に保持するロック部２１が設けられている。また、ロック部２１の幅方向両側には、両コネクタ１０の嵌合時の案内を行う一対のガイドリブ２２が前後方向に沿って設けられている。
【００２２】
端子３０は、端子保持部４０を前後方向に貫通した状態で保持されている。つまり、端子保持部４０には、端子３０を圧入するための圧入孔（図示せず）が前後方向に貫通して形成されており、この圧入孔に対して端子３０を圧入することによって端子３０が端子保持部４０に保持される。端子３０の前端側３１は、端子保持部４０から前方に突出する形態をなしている。端子３０の前端は、フード部５０の前縁よりも後方に位置している。一方、端子３０の後端側３２は、図２に示すように、端子保持部４０から後方に延びた後、プリント基板Ｐの上面に向けて下方に屈曲され、さらにプリント基板Ｐの上面で再び後方に屈曲された後、プリント基板Ｐの上面に沿って後方に延びる形態をなしている。つまり、端子３０のうちプリント基板Ｐの上面に沿って後方に延びる部分がプリント基板Ｐの上面に設けられた接続ランド（図示せず）に半田付けされることによって、端子３０の後端側３２と接続ランドとが導通可能に接続される。なお、端子３０の後端側３２は、ハウジング２０の後部に設けられた一対の保護壁２３によって幅方向両側から覆われた状態で保護されている。
【００２３】
フード部５０は、図１に示すように、端子保持部４０の外周縁部から前方に延びる形態をなしている。具体的には、フード部５０は、プリント基板Ｐの上面に接触する底壁５１と、底壁５１の幅方向両側縁から上方に立ち上がる一対の側壁５２と、両側壁５２の上縁同士を連結する天井壁５３とから構成されている。底壁５１と天井壁５３は、それぞれ側壁５２よりも薄肉に形成されている。一方、側壁５２は、プリント基板Ｐの板厚と底壁５１の板厚とを合わせた板厚とほぼ同じ板厚に形成されている。なお、前記したロック部２１とガイドリブ２２は、ともに天井壁５３の内面における幅方向中央に設けられている。また、前記した保護壁２３は、側壁５２の後方に突出して設けられている。
【００２４】
装着溝６０は、図２に示すように、側壁５２を上下方向に貫通して形成されている。一方、基板固定部７０は、金属板を所定形状に打ち抜くとともに曲げ加工などを施すことで成形されている。基板固定部７０は、上下方向に沿う略平板状をなす本体部７１と、本体部７１の下端から幅方向に沿って側方に突出する半田付け部７２とから構成されている。このため、基板固定部７０は、全体として、前後方向から見て略Ｌ字形に形成されている。このうち半田付け部７２が、プリント基板Ｐの固定ランドに載せられた状態で半田付けされるようになっている。なお、装着溝６０において半田付け部７２の前後両側には、半田付けの際に余分な半田が流れ込む逃がし溝６３が凹設されている。
【００２５】
装着溝６０の後端は、図５に示すように、端子保持部４０と前後方向に重複している。このため、装着溝６０に保持された基板固定部７０についても、端子保持部４０と前後方向に重複して配置されている。したがって、端子保持部４０を基板固定部７０で直接固定できるから、端子保持部４０で保持された端子３０が力を受けることを回避できる。一方、基板固定部７０が端子保持部４０側に配置されているほど、フード部５０の前縁がプリント基板Ｐの上面から離間しやすくなるところ、フード部５０の前縁は、後述する規制部材８０によって固定されているから、ハウジング２０全体を効率良く固定できる。
【００２６】
装着溝６０は、詳細には、基板固定部７０の本体部７１がその板面方向に沿って挿入される本体部収容部６１と、半田付け部７２がその板面方向と直交する方向に沿って挿入される半田付け部収容部６２とから構成されている。半田付け部収容部６２は、側壁５２の外面に向けて側方に開口している。前記した逃がし溝６３は、半田付け部収容部６２の下端角部を斜め方向に切り欠くことによって形成されている。このように装着溝６０は、側壁５２の板厚内に設けられている。さらに、装着溝６０の内部に保持された基板固定部７０も、側壁５２の板厚内に配置されている。
【００２７】
基板固定部７０の下部には、図３に示すように、下方に向けて開口するスリット７３が形成されている。このスリット７３によって、本体部７１の下部と半田付け部７２とが前後に２分割されている。つまり、基板固定部７０の下部には、スリット７３を挟んで前側脚部７０Ａと後側脚部７０Ｂとが形成されている。このような構成によると、フード部５０の前縁がプリント基板Ｐの上面から離間する方向に力を受けたときに、まず、前側脚部７０Ａが力を受けてプリント基板Ｐの上面から離間する方向に作用する。一方、後側脚部７０Ｂは、スリット７３が開き変形することによって半田付け部７２にかかる応力が軽減される。これとは逆に、フード部５０の後縁（端子保持部４０）がプリント基板Ｐの上面から離間する方向に力を受けたときには、前側脚部７０Ａの半田付け部７２にかかる応力を軽減できる。
【００２８】
ところで、側壁５２の前面には、相手側コネクタと別体に形成された規制部材（本発明の「第２固定部品」の一例）８０が取付可能とされている。規制部材８０は、図３に示すように、対向状態で配置された一対の対向部８１と、両対向部８１の端部同士を連結した連結部８２とを備えて構成されている。一方、側壁５２の前面には、対向部８１が嵌合する取付部５４が形成されている。この取付部５４は、両側壁５２の前面にそれぞれ設けられている。したがって、規制部材８０も、両側壁５２の前面にそれぞれ配置されている。
【００２９】
取付部５４は、側壁５２の前面および内面の双方に開口する形態をなしている。取付部５４に上側の対向部８１が嵌合すると、両対向部８１の両対向面８１Ａが取付部５４の下面５４Ａとプリント基板Ｐの下面とに係止する。取付部５４の下面５４Ａは、図７および図８に示すように、底壁５１の内面と面一をなして連続する形態をなしている。また、両対向面８１Ａの間隔は、底壁５１の板厚とプリント基板Ｐの板厚とを合わせた板厚とほぼ同じかこれよりやや小さめとされている。したがって、図３に示すプリント基板Ｐの上面に基板用コネクタ１０が固定された状態から、図４に示すように、規制部材８０を取り付けると、両対向部８１によって取付部５４の下面５４Ａとプリント基板Ｐの下面との間が挟持される。このため、フード部５０の前縁がプリント基板Ｐの上面から離間することが規制される。
【００３０】
取付部５４は、図５に示すように、装着溝６０の前方に配置されている。取付部５４は、側壁５２の板厚内に設けられている。規制部材８０の板厚は、図６に示すように、取付部５４の幅寸法と一致している。このため、取付部５４に取り付けられた規制部材８０も、側壁５２の板厚内に配置されている。このようにすると、規制部材８０を取り付けるために取付部５４を側壁５２と別に形成する必要がないため、ハウジング２０の大型化を回避できる。また、規制部材８０を相手側コネクタと別体に設けたから、両コネクタ１０の嵌合時に相手側コネクタから後方に引き出された電線が上下に振られるなどした場合に、規制部材８０が相手側コネクタから外力を受けてプリント基板Ｐが上下動することがない。よって、プリント基板Ｐに実装された他の部品などに悪影響を与えることがない。
【００３１】
本実施形態は以上のような構成であって、続いてその作用を説明する。まず、基板用コネクタ１０をプリント基板Ｐの上面に固定する方法について説明する。両装着溝６０に、基板固定部７０をそれぞれ装着した後、基板用コネクタ１０をプリント基板Ｐの上面における所定の位置に載置する。一方、プリント基板Ｐの固定ランドや接続ランドには、予め液状の半田ペースト（図示せず）が塗布されており、半田付け部７２や端子３０の後端側３２は、半田ペーストを介して固定ランドや接続ランドの上方から載置される。この後、プリント基板Ｐ上に基板用コネクタ１０や他の部品が載置された状態で、リフローを行う。すると、半田付け部７２が固定ランドに半田付けされて固定されるとともに、端子３０の後端側３２や他の部品が接続ランドに半田付けされて導通可能に接続される。
【００３２】
次に、規制部材８０の取り付けを行う。規制部材８０の両対向部８１は、取付部５４の下面５４Ａとプリント基板Ｐの下面とを挟み込むようにして側壁５２の前方から装着される。対向部８１を取付部５４に嵌合すると、図６に示すように、対向部８１の前端が取付部５４の後端に接触することをもって対向部８１が正規の位置に嵌合される。このとき、プリント基板Ｐの前縁は、フード部５０の前縁よりも後方に位置しているため、プリント基板Ｐの前縁と連結部８２とが接触することはない。対向部８１が正規の位置に嵌合すると、図４に示すように、上側の対向面８１Ａが取付部５４の下面５４Ａに係止し、下側の対向面８１Ａがプリント基板Ｐの下面に係止する。したがって、フード部５０の前縁がプリント基板Ｐの上面から離間することが規制される。よって、半田付け部７２の半田付け部分に応力がかかることを軽減できる。
【００３３】
続いて、基板用コネクタ１０をケース内に収容し、相手側コネクタをケースの外部から基板用コネクタ１０に嵌合させる。両コネクタ１０が正規嵌合に至ると、ロックアームがロック部２１に係止することによって、両コネクタ１０が正規嵌合状態に保持される。ここで、相手側コネクタには、基板用コネクタ１０との嵌合面と反対側から電線が引き出されている。この電線は、ケースの外部に配設されているため、上下に振られる場合もあり得る。その場合でも、規制部材８０が相手側コネクタと別体に形成されているため、相手側コネクタから力を受けてプリント基板Ｐが上下動することはない。また、相手側コネクタと正規嵌合状態にある基板用コネクタ１０は、プリント基板Ｐの上面から離間する方向に力を受けることになるものの、規制部材８０によってプリント基板Ｐの上面から離間することが規制される。よって、半田付け部７２の半田付け部分に応力がかかることを軽減できる。
【００３４】
以上のように本実施形態では、相手側コネクタとの嵌合前にフード部５０がプリント基板Ｐの上面から離間する方向に力を受けた場合に、規制部材８０によってフード部５０がプリント基板Ｐの上面から離間することを規制できる。また、相手側コネクタとの嵌合後に相手側コネクタの電線が上下に振られた場合にも、規制部材８０によってフード部５０の前縁がプリント基板Ｐの上面から離間することを規制できる。ここで、規制部材８０は、相手側コネクタと別体とされているから、規制部材８０が相手側コネクタから直接外力を受けてプリント基板Ｐが上下動することはない。したがって、プリント基板Ｐの上下動を防ぐことができるとともに、半田付け部７２の半田付け部分に応力がかかることを軽減できる。
【００３５】
また、端子保持部４０を基板固定部７０で直接固定できるから、端子保持部４０で保持された端子３０が力を受けることを回避できる。一方、基板固定部７０が端子保持部４０側に配置されているほど、フード部５０の前縁がプリント基板Ｐの上面から離間しやすくなるところ、フード部５０の前縁は、規制部材８０によって固定されているから、ハウジング２０全体を効率良く固定できる。
【００３６】
また、規制部材８０を、連結部８２と一対の対向部８１とによって構成したから、規制部材８０を簡易に構成できる。また、フード部５０を、底壁５１と一対の側壁５２と天井壁５３とによって構成したから、略方形の角筒状をなすフード部５０を形成できる。また、基板固定部７０と規制部材８０を両側壁５２にそれぞれ配置したから、フード部５０の両側壁５２でハウジング２０全体をバランス良く固定できる。
【００３７】
＜他の実施形態＞
本発明は上記記述及び図面によって説明した実施形態に限定されるものではなく、例えば次のような実施形態も本発明の技術的範囲に含まれる。
（１）本実施形態では取付部５４が側壁５２の内面に開口する形態としているものの、本発明によると、取付部５４が側壁５２の内面に開口しないで側壁５２の前面のみに開口する形態としてもよい。
【００３８】
（２）本実施形態では基板固定部７０の後端が端子保持部４０と前後方向に重複しているものの、本発明によると、基板固定部７０の後端を端子保持部４０よりも前方に配置してもよい。
【００３９】
（３）本実施形態では第２固定部品として一対の対向部８１と連結部８２とからなる規制部材８０を例示しているものの、本発明によると、略Ｕ字状をなす板ばねを用いて第２固定部品を構成してもよい。
【００４０】
（４）本実施形態では略方形の角筒状をなすフード部５０を設けているものの、本発明によると、側壁５２を備えるフード部５０であればよく、フード部５０の形状を問わない。
【００４１】
（５）本実施形態では基板固定部７０と規制部材８０を両側壁５２にそれぞれ配置しているものの、本発明によると、基板固定部７０と規制部材８０を一方の側壁５２のみに配置してもよい。
【図面の簡単な説明】
【００４２】
【図１】基板用コネクタがプリント基板の上面に固定されている様子を前方から見た正面図
【図２】基板用コネクタを上方から見た平面図
【図３】規制部材を装着する前の状態を示した基板用コネクタの一部切り欠き側面図
【図４】規制部材を装着した後の状態を示した基板用コネクタの一部切り欠き側面図
【図５】図３におけるＡ−Ａ線断面図
【図６】図４におけるＢ−Ｂ線断面図
【図７】基板用コネクタを前方から見た正面図
【図８】図７におけるＣ−Ｃ線断面図
【符号の説明】
【００４３】
１０…基板用コネクタ
２０…ハウジング
３０…端子
４０…端子保持部
５０…フード部
５１…底壁
５２…側壁
５３…天井壁
５４…取付部
５４Ａ…下面
６０…装着溝
７０…基板固定部（第１固定部品）
８０…規制部材（第２固定部品）
８１…対向部
８２…連結部
Ｐ…プリント基板（基板）
【図１】
2010113848.tif 000003
【図２】
2010113848.tif 000004
【図３】
2010113848.tif 000005
【図４】
2010113848.tif 000006
【図５】
2010113848.tif 000007
【図６】
2010113848.tif 000008
【図７】
2010113848.tif 000009
【図８】
2010113848.tif 000010